(57)【要約】  【課題】歌唱者の注意力が散漫になり、ディスプレイへの関心が薄れた場合でも、演奏楽曲の歌唱パートの唄い出しがうまくできるシステムの提供。  【解決手段】カラオケ演奏装置がカラオケマイクに対して、演奏楽曲の歌唱パートの唄い出しを指示するタイミング（Ｓ１）で振動制御信号を発信し（Ｓ２）、この信号を受けた（Ｓ４）カラオケマイクを機械的に振動させる（Ｓ４）。【選択図】図５
2005134598.tif 000002
【特許請求の範囲】
【請求項１】
カラオケ演奏装置と、当該カラオケ演奏装置に歌唱者の音声情報を転送するためのカラオケマイクからなるシステムであって、前記カラオケ演奏装置には、前記カラオケマイクに対し、演奏楽曲の歌唱パートの唄い出しを指示する所定のタイミングで振動制御信号を発信するための振動制御信号発信手段が施されてなると共に、前記カラオケマイクには、前記カラオケ演奏手段から発信された振動制御信号を受信するための振動制御信号受信手段と、当該振動制御信号に応じて機械的な振動を発生する振動発生手段が施されてなることを特徴とする唄い出し指示システム。
【請求項２】
前記所定のタイミングが、唄い出しの歌詞の表示時であることを特徴とする請求項１記載の唄い出し指示システム。
【発明の詳細な説明】
【技術分野】
【０００１】
本発明は、演奏楽曲の歌唱パートの唄い出しを指示するシステムに関し、さらに詳しくは、振動機能付きカラオケマイクを利用した唄い出しを指示するシステムに関する。
【背景技術】
【０００２】
通常、歌唱者がカラオケ楽曲を歌唱する際、歌唱者はディスプレイに表示された演奏楽曲の歌詞を見ながら歌唱するものであるが、演奏楽曲の歌唱パートがない時、すなわち、唄う必要がなく伴奏のみの時にはディスプレイへの関心が薄れる。特に、多数の同伴者がいる場合や、飲酒している場合などは注意力が散漫になる傾向がある。この歌唱パートがない時とは、前奏時ないし間奏時における場合が主であるが、この時に、歌唱者の注意力が散漫になると、歌唱パートに入る際、うまく唄い出しができずに歌唱が乱れてしまう。
【０００３】
歌唱の唄い出しの指示に関する技術としては、実開平１−７２７８４号公報（特許文献１）に、楽譜情報に付加されたタイミング制御信号によって、歌詞の前方部に設けた複数のマークに変化を与え、曲の進行を表示する楽音再生装置が開示されている。この技術によれば、唄い出しのタイミングを、一種のカウントダウン方式でディスプレイ上の所定の変化を見れば確認することができる。
【０００４】
【特許文献１】実開平１−７２７８４号公報
【発明の開示】
【発明が解決しようとする課題】
【０００５】
しかしながら、上記技術では、歌唱者がディスプレイに対して、ある程度関心がある場合には有効であるが、歌唱者の注意力が散漫になり、ディスプレイへの関心が薄れた場合には効果が低く、やはり、うまく唄い出しができずに歌唱が乱れてしまう場合がある。
【０００６】
本発明は、上記問題を解消するために想到されたもので、すなわち、歌唱者の注意力が散漫になり、ディスプレイへの関心が薄れた場合でも、演奏楽曲の歌唱パートの唄い出しがうまくできるシステムの提供を課題とする。
【課題を解決するための手段】
【０００７】
上記課題を解決するため、振動機能付きカラオケマイクを利用し、演奏楽曲の歌唱パートの唄い出しを指示するタイミングで、これを振動させることで上記課題を解決できることを見出し、本発明を想到した。
【０００８】
すなわち、本発明の請求項１記載の唄い出し指示システムは、カラオケ演奏装置と、当該カラオケ演奏装置に歌唱者の音声情報を転送するためのカラオケマイクからなるシステムであって、前記カラオケ演奏装置には、前記カラオケマイクに対し、演奏楽曲の歌唱パートの唄い出しを指示する所定のタイミングで振動制御信号を発信するための振動制御信号発信手段が施されてなると共に、前記カラオケマイクには、前記カラオケ演奏手段から発信された振動制御信号を受信するための振動制御信号受信手段と、当該振動制御信号に応じて機械的な振動を発生する振動発生手段が施されてなることを特徴とする。
【０００９】
さらに、本発明の請求項２記載の唄い出し指示システムは、上記所定のタイミングが、唄い出しの歌詞の表示時であることを特徴とする。
【発明の効果】
【００１０】
前述の如く、本発明の唄い出し指示システムでは、カラオケ演奏装置がカラオケマイクに対して、演奏楽曲の歌唱パートの唄い出しを指示するタイミングで振動制御信号を発信し、この信号を受けたカラオケマイクが振動するため、例え、歌唱者の注意力が散漫になり、ディスプレイへの関心が薄れた場合でも、振動は確実に歌唱者に伝わるため、歌唱者は演奏楽曲の歌唱パートの唄い出しを認識することでき、うまく唄い出しができるといった効果を奏する。
【００１１】
また、上記所定のタイミングを唄い出しの歌詞の表示時とすることにより、通常、唄い出しの歌詞表示のタイミングは、唄い出しのタイミングよりも若干早く（３秒程度）設定されており、このタイムラグは歌唱者にとって長からず短からず最も好適な時間とされ、このタイミングを利用すれば、最もスムーズに歌唱者は唄い出しができる。
【発明を実施するための最良の形態】
【００１２】
以下、本発明の振動機能付きカラオケマイクを利用した、唄い出し指示システムについて、最適な実施例を挙げ、さらに詳述する。
【実施例１】
【００１３】
先ず、図１は、本発明のシステムにて利用する振動機能付きカラオケマイクの説明図である。すなわち、本発明における振動機能付きカラオケマイク（Ｍ）は、風防（Ｍ１）、ボディー（Ｍ２）、電源スイッチ（Ｍ３）、無線通信アンテナ（Ｍ４）、および、本体に内蔵された振動発生手段（Ｍ５）を主な構成要件とする。
【００１４】
次に、図２に示す、図１の振動機能付きカラオケマイクの内部構成機能ブロック図を用いて、当該カラオケマイクについて、さらに詳述する。
【００１５】
本実施例の振動機能付きカラオケマイク（Ｍ）はワイヤレス型であって、赤外線受光部（Ｍ９）と復号部（Ｍ１０）を付帯した振動制御信号受信手段（Ｍ６）と、モータ駆動制御部（Ｍ１１）を付帯した振動発生手段（Ｍ５）と、従来のダイナミックマイクの構成要件である、歌唱者の歌声の音圧を受けて振動する音圧受振部（Ｍ８）や、その振動を電気信号に変換する圧電変換手段（Ｍ７）と、所定のカラオケ演奏装置とのワイヤレス通信制御を含め、これらを全般的に制御する中央制御手段（Ｍ１２）などから構成されている。
【００１６】
本実施例におけるようなワイヤレス型カラオケマイク（Ｍ）では、カラオケ演奏装置からの振動制御信号を赤外線受光部（Ｍ９）で受け、これを復号部（Ｍ１０）でもって復調してデジタル信号に復号し、このデジタル信号をＤＡＣでアナログ信号に変換してモータ駆動制御部（Ｍ１１）に出力すると、このモータ駆動制御部（Ｍ１１）からは駆動信号が小型直流モータに与えられ、機械的な振動が発生する。なお、ワイヤード型カラオケマイクの場合は、カラオケ演奏装置からマイクコードを通じてモータ駆動電力の供給を得て、内蔵の直流小型モータを駆動させる。
【００１７】
振動発生手段（Ｍ５）には、小型直流モータおよび重りを構成要素とするバイブレータ機構が内蔵されている。これは小型直流モータの回転軸による回転運動を振動に変換するように構成されており、回転軸に重りが重心をずらして取り付けられているが、この機構については、周知慣用のものが適宜採用される。なお、カラオケマイク本体に振動機能用スイッチを設け、利用者は本発明のシステムを利用するか否かを判断し、このスイッチを入れることで振動機能の開始信号をカラオケ演奏装置側に発信するようにしてもよい。
【００１８】
以下、図３に示す、本発明の唄い出し指示システムの構成説明図に基づき、本発明のシステムを詳述する。
【００１９】
カラオケ演奏装置の中央制御部（１０）は内部にＣＰＵ、ＲＯＭ、ＲＡＭなどを含み、周辺各構成部を統括して装置全体を総括的に制御する。この中央制御部（１０）はリモコン送信器（Ｒ１）からの信号を受信するリモコン受信部（１１）や、操作パネル（Ｒ２）からの選曲入力を操作制御部（１２）を介して受け取ると、リクエストされた楽曲のカラオケデータをハードディスク記憶装置（１８）から読み出すと共に、適宜な背景映像が収録されたビデオＣＤを再生するようにビデオＣＤチェンジャ（１５）を制御する。また、ハードディスク記憶装置（１８）には、カラオケ楽曲の伴奏音楽と歌詞画像などを符号化したカラオケデータが蓄積されている。
【００２０】
カラオケデータに含まれるＭＩＤＩデータなどの伴奏音楽データは、シンセサイザ（１３）へ順次転送され、ここで伴奏音楽が再生される。再生された伴奏音楽は、ミキシングアンプ（１４）で振動機能付きカラオケマイク（Ｍ）からの歌唱信号と合成されてスピーカ（Ｓ）より出力される。一方、歌詞画像データは、内部にビデオＲＡＭを含む表示制御部（１６）に転送され、表示制御部（１６）はビデオＲＡＭに歌詞画像のビットマップデータを展開すると共に、歌詞の文字列を伴奏音楽の進行に同期させながら、ビデオＣＤチェンジャ（１５）から出力される背景映像にスーパーインポーズしてディスプレイ（Ｄ）に出力する。
【００２１】
そして、振動制御信号発生手段（１７）は、カラオケマイク（Ｍ）に対し、演奏楽曲の歌唱パートの唄い出しを指示する所定のタイミングで振動制御信号を発信する。この「所定のタイミング」とは、最も好適には唄い出しの歌詞の表示時がよく、表示制御部（１６）による歌い出しの歌詞の表示に同期するように振動制御信号を発信するのが好ましい。しかしながら、振動制御信号を発信するタイミングはこれに限定されない。
【００２２】
カラオケデータには楽曲演奏の時間区間情報も付帯されている。例えば、図４は所定の楽曲の時間区間情報のデータ構造説明図であるが、これによれば、前奏は００００００〜０１８０１２（ｍｓ）の区間、１回目の間奏は０５９１７５〜０８５６５４（ｍｓ）の区間、２回目の間奏は１２４８３１〜１４７８２０（ｍｓ）の区間、後奏は１８４６５１〜２００１５０（ｍｓ）に設定されている。したがって、これを利用し、演奏楽曲における歌唱パートの各唄い出し（前奏後の唄い出し、間奏後の唄い出し）を時系列順に追って、楽曲の演奏開始時からの経時時間に基づき、各唄い出し時間の何秒前に発信するかを設定したり、あるいは、歌唱パートの各唄い出しに任意に発信のタイミングマーク（タイミング信号）を設定し、これに合わせて発信するようにしても構わない。
【００２３】
次に、図５に示す、本発明の唄い出し指示システムの概略的フロー説明図に基づき、本発明のシステムを、さらに詳述する。
【００２４】
Ｄ１、Ｄ２、Ｄ３は、ディスプレイに出力されたカラオケ画面であり、Ｄ１は演奏楽曲の歌唱パートがない状態で、背景映像のみが表示されているカラオケ画面である。また、Ｄ２は唄い出しの歌詞の表示時の状態で、背景映像に歌詞がスーパーインポーズされたカラオケ画面である。そして、Ｄ３は演奏楽曲の歌唱パートが始まる状態で、歌詞の一部が色変わりしているカラオケ画面である。
【００２５】
Ｄ１では前奏ないし間奏が演奏されており、カラオケマイク自体には何の変化もない。（Ｓ０）そして、Ｄ２で唄い出しの歌詞が表示されると（Ｓ１）、この表示時に同期するようにカラオケ演奏装置から振動制御信号が発信され（Ｓ２）、この振動制御信号をカラオケマイクが受信すると（Ｓ３）、当該カラオケマイクに機械的な振動が発生し、歌唱者に歌唱パートの唄い出しを知らせる。（Ｓ４）そして、Ｄ２から約３秒後、Ｄ３で歌唱パートの演奏に入ると、既に知らせを受けている歌唱者は、スムーズにうまく唄い出しができる。（Ｓ５）
【００２６】
また、振動制御信号は、通常、歌唱パートの演奏に入った時点で発信を終了させるのが良いが、本フローに示すように、歌唱者の歌声がカラオケマイクの音圧受振部に入り、歌唱者の音声が確認された段階で（Ｓ６）、発信を終了し、振動を停止するようにしてもよい。（Ｓ７）
【００２７】
なお、カラオケマイクの機械的な振動については、上述したように、振動制御信号を受信している間は振動を継続するようにする他、振動制御信号の発信を一種のトリガー信号として、振動の継続はカラオケマイク内に、例えば、振動のＯＮ／ＯＦＦタイマーを付帯させるなどして、カラオケマイク自体が振動の継続を管理するようにしてもよい。
【００２８】
以上、詳述した如く、本発明の唄い出し指示システムによれば、カラオケ演奏装置がカラオケマイクに対して、演奏楽曲の歌唱パートの唄い出しを指示するタイミング、特に、唄い出しの歌詞の表示時に同期して振動制御信号を発信し、この信号を受けたカラオケマイクが振動するため、歌唱者の注意力が散漫になっても、振動は確実に歌唱者に伝わるため、歌唱者はうまく唄い出しができる。
【図面の簡単な説明】
【００２９】
【図１】本発明のシステムにて利用する振動機能付きカラオケマイクの説明図。
【図２】本発明の振動機能付きカラオケマイクの内部構成機能ブロック図。
【図３】本発明の唄い出し指示システムの構成説明図。
【図４】所定の楽曲の時間区間情報のデータ構造説明図。
【図５】本発明の唄い出し指示システムの概略的フロー説明図。
【符号の説明】
【００３０】
Ｓ１    唄い出し歌詞の表示
Ｓ２    振動制御信号の発信
Ｓ３    振動制御信号の受信
Ｓ４    機械的な振動の発生
【図１】
2005134598.tif 000003
【図２】
2005134598.tif 000004
【図３】
2005134598.tif 000005
【図４】
2005134598.tif 000006
【図５】
2005134598.tif 000007